【手続補正書】
【提出日】平成22年10月21日(2010.10.21)
【手続補正１】
【補正対象書類名】特許請求の範囲
【補正対象項目名】全文
【補正方法】変更
【補正の内容】
【特許請求の範囲】
【請求項１】
画像処理装置本体の制御に関する新規の本体制御ソフトウェアを不揮発性の記憶装置に記憶する本体制御ソフトウェア記憶手段と、
前記新規の本体制御ソフトウェアと組み合わせて動作可能な後処理装置の制御に関する後処理装置制御ソフトウェアのバージョン情報と、後処理装置で動作中の後処理装置制御ソフトウェアのバージョン情報と、に基づいて、前記新規の本体制御ソフトウェアと、後処理装置で動作中の後処理装置制御ソフトウェアと、の組み合わせが適切か否かの判定を行う組み合わせ判定手段と、
前記組み合わせ判定手段における判定結果を不揮発性の記憶装置に記憶する判定結果記憶手段と、
起動要求を受け取った後、不揮発性の記憶装置に記憶されている前記判定結果に応じて、本体制御ソフトウェアを起動する起動手段と、
を有することを特徴とする画像処理装置。
【請求項２】
前記起動手段は、前記判定結果が、適切な組み合わせであることを示している場合、前記新規の本体制御ソフトウェアを起動することを特徴とする請求項１に記載の画像処理装置。
【請求項３】
前記起動手段は、前記判定結果が、適切な組み合わせではないことを示している場合、従来の本体制御ソフトウェアを起動することを特徴とする請求項１に記載の画像処理装置。
【請求項４】
前記起動手段において前記新規の本体制御ソフトウェアが起動された後、前記新規の本体制御ソフトウェアと、後処理装置で動作中の後処理装置制御ソフトウェアと、の組み合わせが適切であるか否かを判定する起動後組み合わせ判定手段と、
前記起動後組み合わせ判定手段において前記新規の本体制御ソフトウェアと、後処理装置で動作中の後処理装置制御ソフトウェアと、の組み合わせが適切であると判定された場合、従来の本体制御ソフトウェアを削除する削除手段と、
を更に有することを特徴とする請求項１乃至３の何れか１項に記載の画像処理装置。
【請求項５】
前記起動手段において前記新規の本体制御ソフトウェアが起動された後、前記新規の本体制御ソフトウェアと、後処理装置で動作中の後処理装置制御ソフトウェアと、の組み合わせが適切であるか否かを判定する起動後組み合わせ判定手段と、
前記起動後組み合わせ判定手段において前記新規の本体制御ソフトウェアと、後処理装置で動作中の後処理装置制御ソフトウェアと、の組み合わせが適切でないと判定された場合、前記後処理装置制御ソフトウェアが記憶されている記憶装置の交換を促すエラー画面を表示するエラー画面表示手段と、
を更に有することを特徴とする請求項１乃至３の何れか１項に記載の画像処理装置。
【請求項６】
前記起動手段において従来の本体制御ソフトウェアが起動された後、前記新規の本体制御ソフトウェアと、後処理装置で動作中の後処理装置制御ソフトウェアと、の組み合わせが適切であるか否かを判定する起動後組み合わせ判定手段と、
前記起動後組み合わせ判定手段において前記新規の本体制御ソフトウェアと、後処理装置で動作中の後処理装置制御ソフトウェアと、の組み合わせが適切であると判定された場合、不揮発性の記憶装置に記憶されている前記判定結果を適切な組み合わせであることを示す判定結果に変更する判定結果変更手段と、
再起動を促す画面を表示する画面表示手段と、
を更に有することを特徴とする請求項１に記載の画像処理装置。
【請求項７】
画像処理装置本体の制御に関する新規の本体制御ソフトウェアを不揮発性の記憶装置に記憶する本体制御ソフトウェア記憶手段と、
後処理装置で動作中の後処理装置制御ソフトウェアのバージョン情報を不揮発性の記憶装置に記憶するバージョン情報記憶手段と、
起動要求を受け取った後、前記新規の本体制御ソフトウェアと組み合わせて動作可能な後処理装置の制御に関する後処理装置制御ソフトウェアのバージョン情報と、不揮発性の記憶装置に記憶されている前記後処理装置制御ソフトウェアのバージョン情報とが対応し、前記新規の本体制御ソフトウェアと、後処理装置で動作中の後処理装置制御ソフトウェアと、の組み合わせが適切であった際に、前記新規の本体制御ソフトウェアを起動する起動手段と、
を有することを特徴とする画像処理装置。
【請求項８】
前記起動手段は、起動要求を受け取った後、前記新規の本体制御ソフトウェアと組み合わせて動作可能な後処理装置の制御に関する後処理装置制御ソフトウェアのバージョン情報と、不揮発性の記憶装置に記憶されている前記後処理装置制御ソフトウェアのバージョン情報とが対応せず、前記新規の本体制御ソフトウェアと、後処理装置で動作中の後処理装置制御ソフトウェアと、の組み合わせが適切でなかった際に、従来の本体制御ソフトウェアを起動し、
前記起動手段において従来の本体制御ソフトウェアが起動された後、前記新規の本体制御ソフトウェアと、後処理装置で動作中の後処理装置制御ソフトウェアと、の組み合わせが適切であるか否かを判定する起動後組み合わせ判定手段と、
前記起動後組み合わせ判定手段において前記新規の本体制御ソフトウェアと、後処理装置で動作中の後処理装置制御ソフトウェアと、の組み合わせが適切であると判定された場合、前記後処理装置制御ソフトウェアのバージョン情報を不揮発性の記憶装置に記憶する起動後バージョン情報記憶手段と、
再起動を促す画面を表示する画面表示手段と、
を更に有することを特徴とする請求項７に記載の画像処理装置。
【請求項９】
画像処理装置本体の制御に関する新規の本体制御ソフトウェアを不揮発性の記憶装置に記憶する本体制御ソフトウェア記憶ステップと、
前記新規の本体制御ソフトウェアと組み合わせて動作可能な後処理装置の制御に関する後処理装置制御ソフトウェアのバージョン情報と、後処理装置で動作中の後処理装置制御ソフトウェアのバージョン情報と、に基づいて、前記新規の本体制御ソフトウェアと、後処理装置で動作中の後処理装置制御ソフトウェアと、の組み合わせが適切か否かの判定を行う組み合わせ判定ステップと、
前記組み合わせ判定ステップにおける判定結果を不揮発性の記憶装置に記憶する判定結果記憶ステップと、
起動要求を受け取った後、不揮発性の記憶装置に記憶されている前記判定結果に応じて、本体制御ソフトウェアを起動する起動ステップと、
を含むことを特徴とする起動方法。
【請求項１０】
画像処理装置本体の制御に関する新規の本体制御ソフトウェアを不揮発性の記憶装置に記憶する本体制御ソフトウェア記憶ステップと、
後処理装置で動作中の後処理装置制御ソフトウェアのバージョン情報を不揮発性の記憶装置に記憶するバージョン情報記憶ステップと、
起動要求を受け取った後、前記新規の本体制御ソフトウェアと組み合わせて動作可能な後処理装置の制御に関する後処理装置制御ソフトウェアのバージョン情報と、不揮発性の記憶装置に記憶されている前記後処理装置制御ソフトウェアのバージョン情報とが対応し、前記新規の本体制御ソフトウェアと、後処理装置で動作中の後処理装置制御ソフトウェアと、の組み合わせが適切であった際に、前記新規の本体制御ソフトウェアを起動する起動ステップと、
を含むことを特徴とする起動方法。
【請求項１１】
請求項９又は１０に記載の起動方法の各ステップをコンピュータに実行させることを特徴とするプログラム。
【請求項１２】
請求項１１に記載のプログラムを記憶したコンピュータにより読み取り可能な記憶媒体。
【手続補正２】
【補正対象書類名】明細書
【補正対象項目名】００１４
【補正方法】変更
【補正の内容】
【００１４】
そこで、本発明の画像処理装置は、画像処理装置本体の制御に関する新規の本体制御ソフトウェアを不揮発性の記憶装置に記憶する本体制御ソフトウェア記憶手段と、前記新規の本体制御ソフトウェアと組み合わせて動作可能な後処理装置の制御に関する後処理装置制御ソフトウェアのバージョン情報と、後処理装置で動作中の後処理装置制御ソフトウェアのバージョン情報と、に基づいて、前記新規の本体制御ソフトウェアと、後処理装置で動作中の後処理装置制御ソフトウェアと、の組み合わせが適切か否かの判定を行う組み合わせ判定手段と、前記組み合わせ判定手段における判定結果を不揮発性の記憶装置に記憶する判定結果記憶手段と、起動要求を受け取った後、不揮発性の記憶装置に記憶されている前記判定結果に応じて、本体制御ソフトウェアを起動する起動手段と、を有することを特徴とする。
【手続補正３】
【補正対象書類名】明細書
【補正対象項目名】００１５
【補正方法】変更
【補正の内容】
【００１５】
また、本発明の画像処理装置は、画像処理装置本体の制御に関する新規の本体制御ソフトウェアを不揮発性の記憶装置に記憶する本体制御ソフトウェア記憶手段と、後処理装置で動作中の後処理装置制御ソフトウェアのバージョン情報を不揮発性の記憶装置に記憶するバージョン情報記憶手段と、起動要求を受け取った後、前記新規の本体制御ソフトウェアと組み合わせて動作可能な後処理装置の制御に関する後処理装置制御ソフトウェアのバージョン情報と、不揮発性の記憶装置に記憶されている前記後処理装置制御ソフトウェアのバージョン情報とが対応し、前記新規の本体制御ソフトウェアと、後処理装置で動作中の後処理装置制御ソフトウェアと、の組み合わせが適切であった際に、前記新規の本体制御ソフトウェアを起動する起動手段と、を有することを特徴とする。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】